【手続補正書】
【提出日】平成16年5月26日(2004.5.26)
【手続補正１】
【補正対象書類名】明細書
【補正対象項目名】発明の名称
【補正方法】変更
【補正の内容】
【発明の名称】電圧選択回路、ＬＣＤ駆動回路及びＤ／Ａ変換器
【手続補正２】
【補正対象書類名】明細書
【補正対象項目名】特許請求の範囲
【補正方法】変更
【補正の内容】
【特許請求の範囲】
【請求項１】
スイッチを複数段備え、各段のスイッチを選択信号で制御することにより互いに異なる複数の電圧のうちの１つを選択して、該選択した電圧を出力信号として出力する電圧選択回路において、
前記出力信号を出力する経路では、少なくとも１つの後段のスイッチに接続する前段のスイッチの数を、他の経路にある後段のスイッチに接続した前段のスイッチの数よりも少なくしたこと
を特徴とする電圧選択回路。
【請求項２】
スイッチを複数段備え、各段のスイッチを選択信号で制御することにより互いに異なる複数の電圧のうちの１つを選択して、該選択した電圧を出力信号として出力する電圧選択回路において、
前記出力信号を出力する経路では、γ補正を行なった場合の経路における後段のスイッチに接続する前段のスイッチの数を、他の経路にある後段のスイッチに接続した前段のスイッチの数よりも少なくしたこと
を特徴とする電圧選択回路。
【請求項３】
前記スイッチを３段以上の構成としたこと
を特徴とする請求項１又は請求項２に記載の電圧選択回路。
【請求項４】
前記後段のスイッチに対して、負荷の多い経路にある後段のスイッチに接続する前段のスイッチの数を、他の経路にある後段のスイッチに接続した前段のスイッチの数よりも少なくしたこと
を特徴とする請求項１乃至請求項３のうちの何れか一項に記載の電圧選択回路。
【請求項５】
前記スイッチは、転送ゲートであること
を特徴とする請求項１乃至請求項４のうちの何れか一項に記載の電圧選択回路。
【請求項６】
前記スイッチはＮチャネルＭＯＳトランジスタを含むこと
を特徴とする請求項１乃至請求項５のうちの何れか一項に記載の電圧選択回路。
【請求項７】
前記出力信号の電圧は、
前記選択信号の高電位側において前記ＮチャネルＭＯＳトランジスタのしきい値電圧分低い電圧以下であること
を特徴とする請求項６に記載の電圧選択回路。
【請求項８】
前記スイッチはＰチャネルＭＯＳトランジスタを含むこと
を特徴とする請求項１乃至請求項５のうちの何れか一項に記載の電圧選択回路。
【請求項９】
前記出力信号の電圧は、
前記選択信号の低電位側において前記ＰチャネルＭＯＳトランジスタのしきい値電圧分高い電圧以上であること
を特徴とする請求項８に記載の電圧選択回路。
【請求項１０】
前記前段のスイッチのうち少なくとも１つを出力端子に直接接続したこと
を特徴とする請求項１乃至９のうちの何れか一項に記載の電圧選択回路。
【請求項１１】
請求項１乃至請求項１０のうちの何れか一項に記載の電圧選択回路を備えること
を特徴とするＬＣＤ駆動回路。
【請求項１２】
入力される基準電源の電圧を分圧した複数の分圧電圧を出力する電圧生成回路と、
入力されるデジタル信号をデコードした選択信号を出力するデコーダと、
前記選択信号に基づいて制御され、入力される前記複数の分圧電圧の１つをアナログ信号として出力する複数段のスイッチを備えた電圧選択回路と
を備え、
前記電圧選択回路は、前記各分圧電圧を出力するための経路において、少なくとも１つの後段のスイッチに接続する前段のスイッチの数を、他の経路にある後段のスイッチに接続した前段のスイッチの数よりも少なくしたこと
を特徴とするＤ／Ａ変換器。
【請求項１３】
前記前段のスイッチを３段以上の構成としたこと
を特徴とする請求項１２に記載のＤ／Ａ変換器。
【請求項１４】
前記電圧選択回路は、
前記後段のスイッチに対して、負荷の多い経路にある後段のスイッチに接続する前段のスイッチの数を、他の経路にある後段のスイッチに接続した前段のスイッチの数よりも少なくしたこと
を特徴とする請求項１２又は請求項１３に記載のＤ／Ａ変換器。
【請求項１５】
前記スイッチは、転送ゲートであること
を特徴とする請求項１２乃至請求項１４のうちの何れか一項に記載のＤ／Ａ変換器。
【請求項１６】
前記スイッチはＮチャネルＭＯＳトランジスタを含むこと
を特徴とする請求項１２乃至請求項１５に記載のＤ／Ａ変換器。
【請求項１７】
前記アナログ信号の電圧は、
前記デコーダに供給される高電位電源電圧から前記ＮチャネルＭＯＳトランジスタのしきい値電圧分低い電圧以下であること
を特徴とする請求項１６に記載のＤ／Ａ変換器。
【請求項１８】
前記スイッチはＰチャネルＭＯＳトランジスタを含むこと
を特徴とする請求項１２乃至請求項１５のうちの何れか一項に記載のＤ／Ａ変換器。
【請求項１９】
前記アナログ信号の電圧は、
前記デコーダに供給される低電位電源電圧よりも前記ＰチャネルＭＯＳトランジスタのしきい値電圧分高い電圧以上であること
を特徴とする請求１８に記載のＤ／Ａ変換器。
【請求項２０】
前記電圧生成回路は、
複数の抵抗からなるラダー抵抗を備えること
を特徴とする請求項１２乃至請求項１８のうちの何れか一項に記載のＤ／Ａ変換器。
【請求項２１】
前記ラダー抵抗の各抵抗値は、
Ｄ／Ａ変換に伴うγ補正に基づいて設定されること
を特徴とする請求項２０に記載のＤ／Ａ変換器。
【請求項２２】
出力される前記アナログ信号は、
その最大値及び最小値付近では、前記デジタル信号の変化に対する変化が大きく、
その中間付近では、前記デジタル信号の変化に対する変化が小さいこと
を特徴とする請求項２０又は請求項２１に記載のＤ／Ａ変換器。
【請求項２３】
前記ラダー抵抗は、
上位電源側及び下位電源側では第１の抵抗値を有する抵抗で構成され、
前記上位電源側と前記下位電源側との間の中間部分では第２の抵抗値を有する抵抗で構成されること
を特徴とする請求項２０乃至請求項２２のうちの何れか一項に記載のＤ／Ａ変換器。
【請求項２４】
前記第１の抵抗値は、前記第２の抵抗値よりも大きいこと
を特徴とする請求項２３に記載のＤ／Ａ変換器。
【請求項２５】
前記γ補正を行なった場合の経路における前記前段のスイッチの数を、他の経路にある前段のスイッチの数よりも少なくしたこと
を特徴とする請求項２１乃至請求項２４のうちの何れか一項に記載のＤ／Ａ変換器。
【請求項２６】
前記前段のスイッチのうち少なくとも１つを出力端子に直接接続したこと
を特徴とする請求項１２乃至２５のうちの何れか一項に記載のＤ／Ａ変換器。
【請求項２７】
請求項１２乃至請求項２６のうちの何れか一項に記載のＤ／Ａ変換器を備えること
を特徴とするＬＣＤ駆動回路。
【手続補正３】
【補正対象書類名】明細書
【補正対象項目名】００１３
【補正方法】変更
【補正の内容】
【００１３】
本発明は上記問題点を解決するためになされたものであって、その目的は出力応答時間の短縮化を図ることができる電圧選択回路、ＬＣＤ駆動回路及びＤ／Ａ変換器を提供することにある。
【手続補正４】
【補正対象書類名】明細書
【補正対象項目名】００１４
【補正方法】変更
【補正の内容】
【００１４】
【課題を解決するための手段】
上記目的を達成するため、請求項１に記載の発明は、スイッチを複数段備え、各段のスイッチを選択信号で制御することにより互いに異なる複数の電圧のうちの１つを選択して、該選択した電圧を出力信号として出力する電圧選択回路において、前記出力信号を出力する経路では、少なくとも１つの後段のスイッチに接続する前段のスイッチの数を、他の経路にある後段のスイッチに接続した前段のスイッチの数よりも少なくした。
請求項２に記載の発明は、スイッチを複数段備え、各段のスイッチを選択信号で制御することにより互いに異なる複数の電圧のうちの１つを選択して、該選択した電圧を出力信号として出力する電圧選択回路において、前記出力信号を出力する経路では、γ補正を行なった場合の経路における後段のスイッチに接続した前段のスイッチの数を、他の経路にある後段のスイッチに接続した前段のスイッチの数よりも少なくした。
請求項３に記載の発明のように、前記スイッチを３段以上の構成とした。
【手続補正５】
【補正対象書類名】明細書
【補正対象項目名】００１５
【補正方法】変更
【補正の内容】
【００１５】
請求項４に記載の発明のように、前記後段のスイッチに対して、負荷の多い経路にある後段のスイッチに接続する前段のスイッチの数を、他の経路にある後段のスイッチに接続した前段のスイッチの数よりも少なくした。
請求項５に記載の発明のように、前記スイッチは転送ゲートである。
【手続補正６】
【補正対象書類名】明細書
【補正対象項目名】００１６
【補正方法】変更
【補正の内容】
【００１６】
請求項６に記載の発明のように、前記スイッチはＮチャネルＭＯＳトランジスタを含む。
請求項７に記載の発明のように、前記出力信号の電圧は、前記制御信号の高電位側において前記ＮチャネルＭＯＳトランジスタのしきい値電圧分低い電圧以下である。
【手続補正７】
【補正対象書類名】明細書
【補正対象項目名】００１７
【補正方法】変更
【補正の内容】
【００１７】
請求項８に記載の発明のように、前記スイッチはＰチャネルＭＯＳトランジスタを含む。
請求項９に記載の発明のように、前記出力信号の電圧は、前記制御信号の低電位側において前記ＰチャネルＭＯＳトランジスタのしきい値電圧分高い電圧以上である。
請求項１０に記載の発明のように、前記前段のスイッチのうち少なくとも１つを出力端子に直接接続した。
請求項１１に記載の発明のように、ＬＣＤ駆動回路は、請求項１乃至請求項１０に記載の何れか１つの電圧選択回路を備える。
【手続補正８】
【補正対象書類名】明細書
【補正対象項目名】００１８
【補正方法】変更
【補正の内容】
【００１８】
請求項１２に記載の発明は、入力される基準電源の電圧を分圧した複数の分圧電圧を出力する電圧生成回路と、入力されるデジタル信号をデコードした選択信号を出力するデコーダと、前記選択信号に基づいて制御され、入力される前記複数の分圧電圧の１つをアナログ信号として出力する複数段のスイッチを備えた電圧選択回路とを備え、前記電圧選択回路は、前記各分圧電圧を出力するための経路において、少なくとも１つの後段のスイッチに接続する前段のスイッチの数を、他の経路にある後段のスイッチに接続した前段のスイッチの数よりも少なくした。
請求項１３に記載の発明のように、前記前段のスイッチを３段以上の構成とした。
【手続補正９】
【補正対象書類名】明細書
【補正対象項目名】００１９
【補正方法】変更
【補正の内容】
【００１９】
請求項１４に記載の発明は、請求項１２又は請求項１３に記載のＤ／Ａ変換器において、前記電圧選択回路は、前記後段のスイッチに対して、負荷の多い経路にある後段のスイッチに接続する前段のスイッチの数を、他の経路にある後段のスイッチに接続した前段のスイッチの数よりも少なくした。
請求項１５に記載の発明のように、前記スイッチは転送ゲートである。
【手続補正１０】
【補正対象書類名】明細書
【補正対象項目名】００２０
【補正方法】変更
【補正の内容】
【００２０】
請求項１６に記載の発明のように、前記スイッチはＮチャネルＭＯＳトランジスタを含む。
請求項１７に記載の発明のように、前記アナログ信号の電圧は、前記デコーダに供給される高電位電源の電圧から前記ＮチャネルＭＯＳトランジスタのしきい値電圧分低い電圧以下である。
【手続補正１１】
【補正対象書類名】明細書
【補正対象項目名】００２１
【補正方法】変更
【補正の内容】
【００２１】
請求項１８に記載の発明のように、前記スイッチはＰチャネルＭＯＳトランジスタを含む。
請求項１９に記載の発明のように、前記アナログ信号の電圧は、前記デコーダに供給される低電位電源の電圧よりも前記ＰチャネルＭＯＳトランジスタのしきい値電圧分高い電圧以上である。
請求項２０に記載の発明のように、前記電圧生成回路は、複数の抵抗からなるラダー抵抗を備える。
請求項２１に記載の発明のように、前記ラダー抵抗の各抵抗値は、Ｄ／Ａ変換に伴うγ補正に基づいて設定される。
請求項２２に記載の発明のように、出力される前記アナログ信号は、その最大値及び最小値付近では、前記デジタル信号の変化に対する変化が大きく、その中間付近では、前記デジタル信号の変化に対する変化が小さい。
請求項２３に記載の発明のように、前記ラダー抵抗は、上位電源側及び下位電源側では第１の抵抗値を有する抵抗で構成され、前記上位電源側と前記下位電源側との間の中間部分では第２の抵抗値を有する抵抗で構成される。
請求項２４に記載の発明のように、前記第１の抵抗値は、前記第２の抵抗値よりも大きい。
請求項２５に記載の発明のように、前記γ補正を行なった場合の経路における前記前段のスイッチの数を、他の経路にある前段のスイッチの数よりも少なくした。
請求項２６に記載の発明のように、前記前段のスイッチのうち少なくとも１つを出力端子に直接接続した。
請求項２７に記載の発明のように、ＬＣＤ駆動回路は、請求項１２乃至請求項２６に記載の何れか１つのＤ／Ａ変換器を備える。
【手続補正１２】
【補正対象書類名】明細書
【補正対象項目名】００２２
【補正方法】変更
【補正の内容】
【００２２】
（作用）
従って、請求項１に記載の発明によれば、後段のスイッチに接続される前段のスイッチの数が少ない経路における出力応答時間は、後段のスイッチに接続される前段のスイッチの数が多い経路の出力応答時間に比べて短くなる。
請求項２に記載の発明によれば、γ補正を行なった場合の経路における後段のスイッチに接続した前段のスイッチの数を、他の経路にある後段のスイッチに接続した前段のスイッチの数よりも少なくしたため、その経路における出力応答時間は、それの数が多い経路の出力応答時間に比べて短くなる。
請求項３に記載の発明によれば、段数によって長い配線に寄生する素子の値が大きい経路に対してスイッチの数を少なくすることで、各経路における応答時間の差が少なくなる。
【手続補正１３】
【補正対象書類名】明細書
【補正対象項目名】００２３
【補正方法】変更
【補正の内容】
【００２３】
請求項４に記載の発明によれば、負荷の多い経路の出力応答時間は、負荷の少ない経路の出力応答時間に比べて長い。それに対し、負荷の多い経路にある後段のスイッチに接続される前段のスイッチの数が少ない経路における出力応答時間は、後段のスイッチに接続される前段のスイッチの数が多い経路の出力応答時間に比べて短くなるため、出力応答時間の差が少なくなる。
請求項５に記載の発明によれば、スイッチは転送ゲートであり、スイッチの数を少なくすることでそれらのドレイン容量が少なくなり、出力応答時間の差が少なくなる。
【手続補正１４】
【補正対象書類名】明細書
【補正対象項目名】００２４
【補正方法】変更
【補正の内容】
【００２４】
請求項６に記載の発明によれば、スイッチにはＮチャネルＭＯＳトランジスタが用いられるため、素子数がすくなくなる。
請求項７に記載の発明によれば、出力信号の電圧は、制御信号の高電位側においてＮチャネルＭＯＳトランジスタのしきい値電圧分低い電圧以下であるため、入力信号の電圧と同じ電圧の出力信号が出力される。
【手続補正１５】
【補正対象書類名】明細書
【補正対象項目名】００２５
【補正方法】変更
【補正の内容】
【００２５】
請求項８に記載の発明によれば、スイッチにはＰチャネルＭＯＳトランジスタが用いられるため、素子数が少なくなる。
請求項９に記載の発明によれば、出力信号の電圧は、制御信号の低電位側においてＰチャネルＭＯＳトランジスタのしきい値電圧分高い電圧以上であるため、入力信号の電圧と同じ電圧の出力信号が出力される。
請求項１０に記載の発明によれば、前段のスイッチのうち少なくとも１つを出力端子に直接接続することで、その出力端子に対する配線の寄生容量が少なくなり、出力応答時間の差が少なくなる。
請求項１１に記載の発明によれば、出力応答時間の差が少ないＬＣＤ駆動回路が得られる。
【手続補正１６】
【補正対象書類名】明細書
【補正対象項目名】００２６
【補正方法】変更
【補正の内容】
【００２６】
請求項１２に記載の発明によれば、電圧選択回路は、各分圧電圧を出力するための経路において、少なくとも１つの後段のスイッチに接続する前段のスイッチの数を、他の経路にある後段のスイッチに接続した前段のスイッチの数よりも少なくすることにより、所望の電圧のアナログ信号における出力応答時間が短くなる。
請求項１３に記載の発明によれば、段数によって長い配線に寄生する素子の値が大きい経路に対してスイッチの数を少なくすることで、各経路における応答時間の差が少なくなる。
【手続補正１７】
【補正対象書類名】明細書
【補正対象項目名】００２７
【補正方法】変更
【補正の内容】
【００２７】
請求項１４に記載の発明によれば、電圧選択回路は、後段のスイッチに対して、負荷の多い経路にある後段のスイッチに接続する前段のスイッチの数を、他の経路にある後段のスイッチに接続した前段のスイッチの数よりも少なくしたため、各電圧のアナログ信号における出力応答時間の差が少なくなる。
請求項１５に記載の発明によれば、スイッチは転送ゲートであり、スイッチの数を少なくすることでそれらのドレイン容量が少なくなり、出力応答時間の差が少なくなる。
【手続補正１８】
【補正対象書類名】明細書
【補正対象項目名】００２８
【補正方法】変更
【補正の内容】
【００２８】
請求項１６に記載の発明によれば、スイッチをＮチャネルＭＯＳトランジスタにより構成したため、素子数が少なくなる。
請求項１７に記載の発明によれば、アナログ信号の電圧は、デコーダに供給される高電位電源の電圧からＮチャネルＭＯＳトランジスタのしきい値電圧分低い電圧以下であるため、分圧電圧と同じ電圧のアナログ信号が出力される。
【手続補正１９】
【補正対象書類名】明細書
【補正対象項目名】００２９
【補正方法】変更
【補正の内容】
【００２９】
請求項１８に記載の発明によれば、スイッチをＰチャネルＭＯＳトランジスタにより構成したため、素子数が少なくなる。
請求項１９に記載の発明によれば、アナログ信号の電圧は、デコーダに供給される低電位電源の電圧よりもＰチャネルＭＯＳトランジスタのしきい値電圧分高い電圧以上であるため、分圧電圧と同じ電圧のアナログ信号が出力される。
請求項２０に記載の発明によれば、複数の抵抗からなるラダー抵抗によって互いに異なる複数の電圧が容易に生成される。
請求項２１に記載の発明によれば、γ補正に対応した互いに異なる複数の電圧が容易に生成される。
請求項２２に記載の発明によれば、最大値及び最小値付近では、前記デジタル信号の変化に対する変化が大きく、その中間付近では、前記デジタル信号の変化に対する変化が小さいアナログ信号が得られる。
請求項２３に記載の発明によれば、上位電源側及び下位電源側付近における前記デジタル信号の変化に対する変化が、その中間付近における前記デジタル信号の変化に対する変化と異なるアナログ信号が得られる。
請求項２４に記載の発明によれば、上位電源側及び下位電源側付近における前記デジタル信号の変化に対する変化が、その中間付近における前記デジタル信号の変化に対する変化に比べて大きいアナログ信号が得られる。
請求項２５に記載の発明によれば、γ補正を行なった場合の経路における後段のスイッチに接続した前段のスイッチの数を、他の経路にある後段のスイッチに接続した前段のスイッチの数よりも少なくしたため、その経路における出力応答時間は、それの数が多い経路の出力応答時間に比べて短くなる。
請求項２６に記載の発明によれば、前段のスイッチのうち少なくとも１つを出力端子に直接接続することで、その出力端子に対する配線の寄生容量が少なくなり、出力応答時間の差が少なくなる。
請求項２７に記載の発明によれば、出力応答時間の差が少ないＬＣＤ駆動回路が得られる。
【手続補正２０】
【補正対象書類名】明細書
【補正対象項目名】００６０
【補正方法】変更
【補正の内容】
【００６０】
【発明の効果】
以上詳述したように、請求項１乃至請求項１０に記載の発明によれば、出力応答時間の短縮化を図ることが可能な電圧選択回路を提供することができる。
【手続補正２１】
【補正対象書類名】明細書
【補正対象項目名】００６１
【補正方法】変更
【補正の内容】
【００６１】
請求項１２乃至請求項２６に記載の発明によれば、出力応答時間の短縮化を図ることが可能なＤ／Ａ変換器を提供することができる。
【手続補正２２】
【補正対象書類名】明細書
【補正対象項目名】００６２
【補正方法】変更
【補正の内容】
【００６２】
請求項１１又は請求項２７に記載の発明によれば、出力応答時間の短縮を図ることが可能なＬＣＤ駆動回路を提供することができる。